(57)【要約】【課題】ユーザから他のユーザに与えられる情報に対し、そのユーザと他のユーザとの人間関係を反映させる。【解決手段】メッセージの文字の表現に応じて、メッセージの送信先となるユーザが変更される。例えば、堅い表現のメッセージは、つながり度の低いユーザに送信され、堅くない表現のメッセージは、つながり度の高いユーザに送信される。ユーザ間の結びつきや関係の程度が弱い場合には、相手に失礼のないように堅い表現のほうが無難である一方、ユーザ間の結びつきや関係の程度が強い場合には、あまり堅くない表現のほうがお互いに親しみを感じてよいということがある。このように、或るユーザから他のユーザに与えられる情報に対し、そのユーザと他のユーザとの人間関係を反映させることができる他人に与える情報にその他人との人間関係を反映させることが可能となる。【選択図】図１
2014160339.tif 000002
【特許請求の範囲】
【請求項１】
ユーザの操作に応じて生成されたメッセージを取得する取得手段と、
前記取得手段によって取得されたメッセージにおける文字の表現を判断する判断手段と、
前記ユーザとのつながりの程度を表すつながり度が、前記メッセージについて前記判断手段により判断された文字の表現に対応するつながり度となるような、他のユーザを特定する特定手段と、
前記特定手段によって特定された他のユーザの通信端末に宛てて、前記取得手段によって取得された前記メッセージを送信する送信手段と
を備えることを特徴とする情報処理装置。
【請求項２】
前記特定手段は、前記判断手段によって判断された文字の表現が第１の閾値以下の場合には、前記ユーザとのつながり度が第２の閾値以上となるような前記他のユーザを特定する請求項１に記載の情報処理装置。
【請求項３】
送信先となるユーザに宛てて送信元となるユーザの操作に応じて生成されたメッセージを取得する取得手段と、
前記送信元のユーザと前記送信先のユーザとのつながりの程度を表すつながり度を特定するつながり度特定手段と、
前記取得手段によって取得されたメッセージにおける表現を、前記つながり度特定手段によって特定されたつながり度に応じた表現になるよう変更する変更手段と、
前記変更手段によって取得されたメッセージを送信する送信手段と
を備えることを特徴とする情報処理装置。
【請求項４】
ユーザのプロフィールに関する変更内容を取得する取得手段と、
前記取得手段によって取得されたプロフィールの変更内容の重要度を判定する判定手段と、
前記判定手段により判定された重要度に対応するつながり度を特定するつながり度特定手段と、
前記取得手段によって取得されたプロフィールの変更内容を、前記つながり度特定手段により特定されたつながり度以上となる他のユーザの通信端末に宛てて送信する送信手段と
を備えることを特徴とする情報処理装置。
【請求項５】
ユーザの操作に応じて生成されたメッセージを取得する取得ステップと、
前記取得ステップにおいて取得されたメッセージにおける文字の表現を判断する判断ステップと、
前記ユーザとのつながりの程度を表すつながり度が、前記メッセージについて前記判断ステップにおいて判断された文字の表現に対応するつながり度となるような、他のユーザを特定する特定ステップと、
前記特定ステップにおいて特定された他のユーザの通信端末に宛てて、前記取得ステップにおいて取得された前記メッセージを送信する送信ステップと
を備えることを特徴とする情報処理方法。
【請求項６】
送信先となるユーザに宛てて送信元となるユーザの操作に応じて生成されたメッセージを取得する取得ステップと、
前記送信元のユーザと前記送信先のユーザとのつながりの程度を表すつながり度を特定するつながり度特定ステップと、
前記取得ステップにおいて取得されたメッセージにおける表現を、前記つながり度特定ステップにおいて特定されたつながり度に応じた堅さの表現になるよう変更する変更ステップと、
前記変更ステップにおいて取得されたメッセージを送信する送信ステップと
を備えることを特徴とする情報処理方法。
【請求項７】
ユーザのプロフィールに関する変更内容を取得する取得ステップと、
前記取得ステップにおいて取得されたプロフィールの変更内容の重要度を判定する判定ステップと、
前記判定ステップにおいて判定された重要度に対応するつながり度を特定するつながり度特定ステップと、
前記取得ステップにおいて取得されたプロフィールの変更内容を、前記つながり度特定ステップにおいて特定されたつながり度以上となる他のユーザの通信端末に宛てて送信する送信ステップと
を備えることを特徴とする情報処理方法。
【発明の詳細な説明】
【技術分野】
【０００１】
本発明は、通信端末のユーザ間における情報伝達の技術に関する。
【背景技術】
【０００２】
通信相手との親密度に応じて、その通信相手に送る文書に対して挿入する画像を変えるという技術が知られている（特許文献１参照）。
【先行技術文献】
【非特許文献】
【０００３】
【特許文献１】特開２０１１−４３９３９号公報
【発明の概要】
【発明が解決しようとする課題】
【０００４】
ただし、特許文献１に記載の技術は、せいぜい、文書に記された内容に対して補助的な意味を持つ画像を変更するものに過ぎないが、他人との親密度に応じて変更したほうがいいものとして、文書という伝達対象となる情報そのものにおける表現の堅さないし丁寧さ（以下、単に表現の堅さという）である。例えば、あまり親密でない相手に対しては堅い表現のほうがよいが、親密な相手に対してはあまり堅くない表現のほうがよいといったことが一例として考えられる。
【０００５】
そこで、本発明は、ユーザから他のユーザに与えられる情報に対し、そのユーザと他のユーザとの人間関係を反映させることを目的とする。
【課題を解決するための手段】
【０００６】
上記課題を解決するため、本発明は、ユーザの操作に応じて生成されたメッセージを取得する取得手段と、前記取得手段によって取得されたメッセージにおける文字の表現を判断する判断手段と、前記ユーザとのつながりの程度を表すつながり度が、前記メッセージについて前記判断手段により判断された文字の表現に対応するつながり度となるような、他のユーザを特定する特定手段と、前記特定手段によって特定された他のユーザの通信端末に宛てて、前記取得手段によって取得された前記メッセージを送信する送信手段とを備えることを特徴とする情報処理装置を提供する。
【０００７】
前記特定手段は、前記判断手段によって判断された文字の表現の程度が第１の閾値以下の場合には、前記ユーザとのつながり度が第２の閾値以上となるような前記他のユーザを特定するようにしてもよい。
【０００８】
また、本発明は、送信先となるユーザに宛てて送信元となるユーザの操作に応じて生成されたメッセージを取得する取得手段と、前記送信元のユーザと前記送信先のユーザとのつながりの程度を表すつながり度を特定するつながり度特定手段と、前記取得手段によって取得されたメッセージにおける表現を、前記つながり度特定手段によって特定されたつながり度に応じた表現になるよう変更する変更手段と、前記変更手段によって取得されたメッセージを送信する送信手段とを備えることを特徴とする情報処理装置を提供する。
【０００９】
また、本発明は、ユーザのプロフィールに関する変更内容を取得する取得手段と、前記取得手段によって取得されたプロフィールの変更内容の重要度を判定する判定手段と、前記判定手段により判定された重要度に対応するつながり度を特定するつながり度特定手段と、前記取得手段によって取得されたプロフィールの変更内容を、前記つながり度特定手段により特定されたつながり度以上となる他のユーザの通信端末に宛てて送信する送信手段とを備えることを特徴とする情報処理装置を提供する。
【００１０】
また、本発明は、ユーザの操作に応じて生成されたメッセージを取得する取得ステップと、前記取得ステップにおいて取得されたメッセージにおける文字の表現を判断する判断ステップと、前記ユーザとのつながりの程度を表すつながり度が、前記メッセージについて前記判断ステップにおいて判断された文字の表現に対応するつながり度となるような、他のユーザを特定する特定ステップと、前記特定ステップにおいて特定された他のユーザの通信端末に宛てて、前記取得ステップにおいて取得された前記メッセージを送信する送信ステップとを備えることを特徴とする情報処理方法を提供する。
【００１１】
また、本発明は、送信先となるユーザに宛てて送信元となるユーザの操作に応じて生成されたメッセージを取得する取得ステップと、前記送信元のユーザと前記送信先のユーザとのつながりの程度を表すつながり度を特定するつながり度特定ステップと、前記取得ステップにおいて取得されたメッセージにおける表現を、前記つながり度特定ステップにおいて特定されたつながり度に応じた堅さの表現になるよう変更する変更ステップと、前記変更ステップにおいて取得されたメッセージを送信する送信ステップとを備えることを特徴とする情報処理方法を提供する。
【００１２】
また、本発明は、ユーザのプロフィールに関する変更内容を取得する取得ステップと、前記取得ステップにおいて取得されたプロフィールの変更内容の重要度を判定する判定ステップと、前記判定ステップにおいて判定された重要度に対応するつながり度を特定するつながり度特定ステップと、前記取得ステップにおいて取得されたプロフィールの変更内容を、前記つながり度特定ステップにおいて特定されたつながり度以上となる他のユーザの通信端末に宛てて送信する送信ステップとを備えることを特徴とする情報処理方法を提供する。
【発明の効果】
【００１３】
本発明によれば、ユーザから他のユーザに与えられる情報に対し、そのユーザと他のユーザとの人間関係を反映させることができる。
【図面の簡単な説明】
【００１４】
【図１】本発明の第１実施形態に係る通信システムの構成を示すブロック図である。
【図２】同実施形態における移動通信端末の構成を示すブロック図である。
【図３】同実施形態における情報処理装置のハードウェア構成を示すブロック図である。
【図４】第１実施形態における情報処理装置が記憶するつながり度データベースの一例を示す図である。
【図５】第１実施形態における情報処理装置が記憶する処理テーブルの一例を示す図である。
【図６】第１実施形態における情報処理装置の機能構成を示すブロック図である。
【図７】第１実施形態における情報処理装置の動作を示すフローチャートである。
【図８】第１実施形態における情報処理装置の動作を示すフローチャートである。
【図９】意味が同じで表現が異なるメッセージの一例を示す図である。
【図１０】第２実施形態に係る情報処理装置の機能構成を示すブロック図である。
【図１１】第２実施形態における情報処理装置の動作を示すフローチャートである。
【図１２】第３実施形態における情報処理装置が記憶するプロフィールデータベースの一例を示す図である。
【図１３】第３実施形態における情報処理装置が記憶する処理テーブルの一例を示す図である。
【図１４】第３実施形態における情報処理装置の機能構成を示すブロック図である。
【図１５】第３実施形態における情報処理装置の動作を示すフローチャートである。
【発明を実施するための形態】
【００１５】
［各実施形態の概要］
本発明の一例である第１実施形態から第３実施形態の概要は以下のとおりである。
第１実施形態
第１実施形態では、メッセージの文字の表現を判断して、その文字の表現に応じて、メッセージの送信先となるユーザが変更される。ここでいう「文字の表現の判断」とは、例えば表現がどの程度堅いか軟らかいかとか、どの程度丁寧か乱暴かとか、或いは、どの程度フォーマルかインフォーマルかということを判断することを意味するが、以下では、「表現が堅い」という表記で説明する。例えば、堅い表現（文字の表現の程度が閾値を超える）のメッセージは、つながり度の低いユーザに送信され、堅くない表現（文字の表現の程度が閾値以下）のメッセージは、つながり度の高いユーザに送信される。つながりとは、結びつきや関係があることであるから、ユーザとユーザとのつながり度とは、そのユーザ間の結びつきや関係の程度を表すものである。ユーザ間の結びつきや関係の程度が弱い場合には（つながり度が低い場合には）、相手に失礼のないように堅い表現のほうが無難である一方、ユーザ間の結びつきや関係の程度が強い場合には（つながり度が高い場合には）、あまり堅くない表現のほうがお互いに親しみを感じてよいということがある。このように、第１実施形態によれば、ユーザから他のユーザに与えられる情報（ここではメッセージ）に対し、そのユーザと他のユーザとの人間関係を反映させることができる。
【００１６】
第２実施形態
第２実施形態では、ユーザによってメッセージが生成されたのち、そのメッセージの送信元となるユーザとその送信先となるユーザとのつながり度に応じて、そのメッセージの表現が変更される。例えば、つながり度の低いユーザに対しては、表現がより堅くなるようにメッセージの表現が変更され、つながり度の高いユーザに対しては、メッセージの表現がより堅くなくなるようにメッセージの表現が変更される（つまりラフな表現のメッセージに変更される）。このように、第２実施形態によれば、ユーザから他のユーザに与えられる情報（メッセージ）に対し、そのユーザと他のユーザとの人間関係を反映させることができる。
【００１７】
第３実施形態
第３実施形態では、プロフィールの変更内容の重要度に応じて、その変更内容の送信先となるユーザが変わる。例えば、変更内容の重要度が低い場合には、つながり度の高いユーザのみに送信され、変更内容の重要度が高い場合には、つながり度の高いユーザのほか、さらにつながり度の低いユーザにも送信される。このように、第３実施形態によれば、ユーザから他のユーザに与えられる情報（例えばプロフィール）に対し、そのユーザと他のユーザとの人間関係を反映させることができる。
【００１８】
以下、第１実施形態から第３実施形態の各々を説明する。
［第１実施形態］
［構成］
図１は、本発明の一実施形態に係る通信システム１の全体構成を示すブロック図である。この通信システム１は、移動通信端末１０ａ，１０ｂ，１０ｃと、移動通信網２１及びインターネット２２を含むネットワーク２０と、ＳＮＳ（Social Networking Service）提供装置３０と、情報処理装置４０とを備えている。ＳＮＳ提供装置３０は、ユーザにＳＮＳを提供する。ＳＮＳとは、人と人とのコミュニケーションやつながりを支援又は促進することを目的としたサービスであり、例えば、ユーザのプロフィールや写真、コメントなどをサービス会員や友人に公開する機能、互いにメッセージを送る機能、友人に別の友人を紹介する機能、趣味や地域などテーマを決めた掲示板を介して人と人のつながりを支援する機能、予定や友人の誕生日などを書き込めるカレンダーなどの機能などを含んでいる。通信システム１は、実際には、移動通信端末１０ａ，１０ｂ，１０ｃ以外に、複数の移動通信端末を備えているが、図１では図示を省略している。移動通信端末１０ａ、１０ｂ，１０ｃは共通のハードウェア構成及び動作であるから、以下では、これらを区別して説明する場合を除き、移動通信端末１０と呼ぶことにする。
【００１９】
移動通信網２１は、例えばＩＭＴ−２０００（International Mobile Telecommunications-2000）と呼ばれる通信規格に従って移動通信端末１０に通信サービスを提供するネットワークである。この移動通信網２１は、複数の基地局や複数の交換局といった通信ノード群と、これらの通信ノードを相互に接続する通信線とを備えている。移動通信端末１０は、移動通信網２１の基地局と無線通信を行う通信端末であり、それぞれ異なるユーザによって利用される。本実施形態では、移動通信端末１０が、通話及びデータ通信を行うことが可能な携帯電話機である場合を例に挙げて説明を行う。
【００２０】
ＳＮＳ提供装置３０及び情報処理装置４０はそれぞれ、インターネット２２に接続されている。情報処理装置４０は、移動通信端末１０に対する情報の提供を支援する装置であり、例えば、メッセージの表現の堅さに応じて、メッセージの送信先となる移動通信端末を変更する。
【００２１】
図２は、移動通信端末１０のハードウェア構成を示す図である。移動通信端末１０は、制御部１１と、通信部１２と、操作部１３と、表示部１４と、音声入出力部１５と、記憶部１６とを備えたコンピュータとして構成されている。制御部１１は、ＣＰＵなどの演算装置と、ＲＯＭ（Read Only Memory）及びＲＡＭ（Random Access Memory）などの記憶装置とを備えている。ＲＯＭには、移動通信端末１０に割り当てられた端末識別情報（例えば電話番号）や、ＣＰＵによって実行されるプログラムが記憶されている。ＣＰＵは、ＲＡＭをワークエリアとして用いてＲＯＭや記憶部１６に記憶されたプログラムを実行することによって、移動通信端末１０の各部の動作を制御する。通信部１２は、アンテナや通信回路を備えており、移動通信網２１の基地局と無線通信を行う。操作部１３は、キーやタッチセンサなどの操作子を備えた操作手段であり、利用者の操作に応じた操作信号を制御部１１に供給する。制御部１１は、この操作信号に応じた処理を行う。表示部１４は、液晶パネルや液晶駆動回路を備えた表示手段であり、制御部１１による制御の下で画像を表示する。音声入出力部１５は、スピーカ、マイクロホン及び音声処理回路を備えており、通話に係る音声の入出力を行う。記憶部１６は、例えばＥＥＰＲＯＭ（Electronically Erasable and Programmable ROM）やフラッシュメモリなどの記憶手段であり、制御部１１が用いるデータ群やプログラム群を記憶している。
【００２２】
図３は、情報処理装置４０のハードウェア構成を示すブロック図である。情報処理装置４０は、制御部４１と、通信部４２と、記憶部４３とを備えたコンピュータである。制御部４１は、ＣＰＵ（Central Processing Unit）等の演算装置と、ＲＯＭ（Read Only Memory）及びＲＡＭ（Random Access Memory）などの記憶装置とを備えている。ＣＰＵは、ＲＡＭをワークエリアとして用いてＲＯＭや記憶部４３に記憶されたプログラムを実行することによって、情報処理装置４０の各部の動作を制御する。通信部４２はネットワーク２０に接続されている。通信部４２は、ネットワーク２０を介して移動通信端末１０と通信を行う通信手段である。記憶部４３は、例えばハードディスク等の大容量で不揮発性の記憶手段である。記憶部４３は、制御部４１が用いるデータ群やプログラム群を記憶しており、例えば、つながり度データベース４３１及び処理テーブル４３２を記憶している。
【００２３】
図４は、つながり度データベース４３１の一例を示す図であり、ここではユーザＡというユーザに注目して、そのユーザＡと知人関係にある他のユーザとのつながり度を例示している。つながり度データベース４３１においては、それぞれのユーザがＳＮＳを用いてコミュニケーションしたときのコミュニケーション履歴と、そのコミュニケーション履歴から算出した、これらのユーザのつながり度とが対応付けられている。つながりとは、結びつきや関係があることであるから、ユーザとユーザのつながり度とは、そのユーザ間の結びつきや関係の程度を表すものである。本実施形態では、ユーザとユーザのつながり度を、そのユーザ間でなされたコミュニケーションの頻度に応じた大きさとしており、具体的にはコミュニケーションの頻度が多いほどつながり度が高くなる。このつながり度は、コミュニケーションの頻度が最も少ない「１」という最低レベルから順に、コミュニケーションの頻度が最も多い「５」という最高レベルまでの５段階に分かれている。
【００２４】
図の例では、ユーザＡとユーザＢとがＳＮＳにおいて、２０１２／１０／１１に２回コミュニケーションをとり、２０１２／１０／１２に４回コミュニケーションをとるなどしており、このコミュニケーション履歴に基づいて算出されたユーザＡとユーザＢとのつながり度が「４」であることが示されている。ここで、一方のユーザがＳＮＳを用いてコメントしたことに対して他方のユーザがＳＮＳを用いてコメントしたときに、１回のコミュニケーションがなされたとみなす。各ユーザ間のコミュニケーション履歴は、例えば定期的又は情報処理装置４０が要求したタイミングで、ＳＮＳ提供装置３０から情報処理装置４０に送信されてくるので、情報処理装置４０の制御部４１はこれを記憶部４３に記憶させる。なお、図４は、ユーザＡを基準にして、そのユーザＡと他のユーザとのつながり度を例示しているが、実際には各ユーザをそれぞれ基準にしたときの、そのユーザと他のユーザとのつながり度を全て含むつながり度データベースが記憶部４３に記憶されている。
【００２５】
図５は、処理テーブル４３２の一例を示す図である。処理テーブル４３２においては、メッセージの表現の堅さの程度を意味する表現堅さとつながり度とが対応付けられている。これらの対応関係によって、メッセージの送信先となるユーザが決まる。図の例では、ユーザとのつながり度が「１」の他のユーザに対しては、表現堅さが「５」のメッセージを送信するようになっている。つまり、つながり度が高いほど表現堅さは小さくなっているから、つながり度が高いほどメッセージの表現が堅くない（表現がラフ）というルールになっている。
【００２６】
図６は情報処理装置４０の機能構成を示すブロック図である。情報処理装置４０において、制御部４１がプログラムを実行して通信部４２及び記憶部４３と協働することにより、取得手段４０ａと、判断手段４０ｂと、特定手段４０ｃと、送信手段４０ｄという機能を実現する。取得手段４０ａは、ユーザの操作に応じて生成されたメッセージを取得する。判断手段４０ｂは、取得手段４０ａによって取得されたメッセージにおける表現の堅さを判断する。特定手段４０ｃは、つながり度データベース４３１及び処理テーブル４３２を参照して、ユーザとのつながりの程度を表すつながり度が、上記メッセージについて判断手段４０ｂにより判断された表現の堅さに対応するつながり度となるような、他のユーザを特定する。送信手段４０ｄは、特定手段４０ｃによって特定された他のユーザの通信端末に宛てて、取得手段４０ａによって取得されたメッセージを送信する。
【００２７】
［動作］
次に、図７〜９を参照しながら第１実施形態の動作について説明する。
［つながり度算出処理］
情報処理装置４０の制御部４１は、定期的又は任意のタイミングで、ＳＮＳ提供装置３０からコミュニケーション履歴を取得し、つながり度データベース４３１として記憶部４３に記憶する（ステップＳ１１）。このコミュニケーション履歴には、少なくとも情報処理装置４０が一意に特定可能なユーザの識別情報（ここではユーザ名）と、それぞれのユーザ間でなされたコミュニケーションの頻度（ここではコミュニケーションがなされた日時及び回数）とが含まれていればよい。
【００２８】
次に、制御部４１は、例えば定期的に、つながり度データベース４３１から任意のユーザ２人のコミュニケーション履歴を読み出し、その２人のユーザ間のつながり度を算出する（ステップＳ１２）。このときの算出に用いられる手法は、ユーザ間でなされたコミュニケーションの頻度に応じた大きさのつながり度を求められるものであればよく、コミュニケーションの頻度が多いほどつながり度が高くなるというものである。例えば、つながり度「１」〜「５」のそれぞれに該当するコミュニケーションの頻度が予め決められており、制御部４１は、つながり度データベース４３１から読み出したコミュニケーション履歴がどのつながり度に該当するかを特定すればよい。
【００２９】
そして、制御部４１は、算出したつながり度を、つながり度データベース４３１として記憶部４３に記憶させる（ステップＳ１３）。制御部４１は、以上の処理を、コミュニケーション履歴に含まれる全てのユーザの組について行う。これにより、つながり度データベース４３１には、あらゆるユーザの組についてのつながり度が含まれることになる。
【００３０】
［メッセージ送信処理］
移動通信端末１０において、ユーザの操作に従って、メール本文などのメッセージが生成される。この時点でこのメッセージの宛先は不定であり、ひとまず移動通信端末１０から情報処理装置４０に送信される。情報処理装置４０の制御部４１は、通信部４２を介してこのメッセージを取得する（ステップＳ２１）。
【００３１】
次に、制御部４１は、取得したメッセージにおける表現の堅さを判断する（ステップＳ２２）。具体的には、制御部４１は、主体を意味する語句や、メッセージの語尾に現れる語句や、メッセージ内に挿入されているいわゆる絵文字の有無などに基づいて、語尾に現れる語句が例えば「です」、「ます」、「でした」、「ました」等なら表現堅さが大きいと判断するし、「だよ」「たよ」「ー」「〜」なら表現堅さが小さいと判断する。また、制御部４１は、主体を意味する語句が「私」なら表現堅さが大きいと判断するし、「俺」なら表現堅さが小さいと判断する。図９に、意味が同じで表現が異なるメッセージの一例を示す。図９に示すように、例えば動物園に行って楽しんだことを伝えるときに、「私は動物園に行きました。とても楽しかったです」というメッセージについては表現堅さが大きいと判断されるし、「俺、動物園に行ったけど、楽しかったよー（＾＾）」というメッセージについては表現堅さが小さいと判断される。こういった各表現がどの程度の表現堅さであるかといった両者の対応関係は、予めルール化されており、そのルールが記憶部４３に記憶されている。
【００３２】
次に制御部４１は、つながり度データベース４３１を参照して、ユーザとのつながり度が、判断された表現の堅さに対応するつながり度となる、他のユーザを特定する（ステップＳ２３）。例えば、判断された表現の堅さが「１」の場合には、制御部は、それに対応するつながり度「５」のユーザを特定する。例えばメッセージが「おはよ〜今日も元気だよ〜」という内容である場合、表現堅さが「１」と判断され、それに対応するつながり度「５」のユーザ、図４の例ではユーザＡに対するユーザＣが特定されることになる。このように、制御部４１は、判断した表現の堅さ（文字の表現の程度）が第１の閾値（例えば１）以下の場合には、ユーザとのつながり度が第２の閾値（例えば５）以上となるような他のユーザを特定する。
【００３３】
そして、制御部４１は、特定された他のユーザ（ユーザＣ）の移動通信端末１０をメッセージの宛先にセットし（ステップＳ２４）、このメッセージをユーザＣの移動通信端末１０に送信する（ステップＳ２５）。
【００３４】
以上のように、第１実施形態によれば、他人に与える情報（例えばメッセージ）にその他人との人間関係を反映させることが可能となる。なお、ステップＳ２３にて特定した他のユーザをメッセージの宛先の候補として、メッセージを生成したユーザに対して提示し、その中から本当の宛先となる他のユーザを、メッセージを生成したユーザに選択させるようにしてもよい。具体的には、制御部４１は、ステップＳ２３にて特定した他のユーザのユーザ名をメッセージの宛先の候補として、メッセージを生成したユーザの移動通信端末１０に送信する。移動通信端末１０は、そのユーザ名を表示部１４に表示する。メッセージを生成したユーザは、表示されているユーザ名の中から宛先となるユーザのユーザ名を選択する。移動通信端末１０はそのユーザ名を情報処理装置４０に送信する。情報処理装置４０の制御部４１は、そのユーザ名のユーザの移動通信端末１０をメッセージの宛先にセットし、メッセージをその移動通信端末１０に送信する。
【００３５】
［第２実施形態］
第２実施形態に係る通信システムの構成は、第１実施形態の構成と同じであり、動作におけるメッセージ送信処理が異なる。図１０は、情報処理装置４０の機能構成を示すブロック図である。情報処理装置４０において、制御部４１がプログラムを実行して通信部４２及び記憶部４３と協働することにより、取得手段４０ｅと、つながり度特定手段４０ｇと、変更手段４０ｆと、送信手段４０ｈという機能を実現する。取得手段４０ｅは、送信先となるユーザに宛てて送信元となるユーザの操作に応じて生成されたメッセージを取得する。つながり度特定手段４０ｇは、上述したコミュニケーション履歴に基づいて算出された送信元のユーザと送信先のユーザとのつながり度を、つながり度データベース４３１を参照して特定する。変更手段４０ｆは、取得手段４０ｅによって取得されたメッセージにおける表現を、つながり度特定手段４０ｇによって特定されたつながり度に応じた堅さの表現になるよう変更する。送信手段４０ｈは、変更手段４０ｆによって取得されたメッセージを送信する。
【００３６】
図１１は、第２実施形態に係る情報処理装置４０のメッセージ送信処理の動作を示すフローチャートである。移動通信端末１０において、ユーザの操作に従って、メール本文などのメッセージが生成され、メッセージの宛先も指定された状態で、移動通信端末１０から情報処理装置４０に送信される。情報処理装置４０の制御部４１は、通信部４２を介してこのメッセージを取得する（ステップＳ３１）。
【００３７】
次に、制御部４１は、つながり度データベース４３１を参照して、送信元のユーザと送信先のユーザとのつながり度を特定する（ステップＳ３２）。次に、制御部４１は、取得されたメッセージにおける表現を、特定されたつながり度に応じた堅さの表現にする必要があるか否かを判断する（ステップＳ３３）。制御部４１は、取得されたメッセージにおける表現の堅さと、特定されたつながり度に応じた表現の堅さとが異なる場合には、表現の変更が必要と判断する（ステップＳ３３；ＹＥＳ）。この場合、制御部４１は、ステップＳ３１にて取得したメッセージにおける表現を、ステップＳ３２にて特定されたつながり度に応じた堅さの表現になるよう変更する（ステップＳ３４）。具体的には、表現堅さを小さくする場合には、メッセージの語尾に現れる語句が例えば「です」、「ます」なら、「だよ」「たよ」に変更したり、主体を意味する語句が「私」なら「俺」に変更するといった具合であるし、表現堅さを大きくする場合には上記とは逆である。第１実施形態と同様に、こういった各表現がどの程度の表現堅さであるかといった両者の対応関係は、予めルール化されており、そのルールが記憶部４３に記憶されている。
【００３８】
そして、制御部４１は、メッセージを送信する（ステップＳ３５）。なお、制御部４１は、ステップＳ３３において、取得されたメッセージにおける表現の堅さと、特定されたつながり度に応じた表現の堅さとが同じであれば、表現の変更が必要ないと判断し（ステップＳ３３；ＮＯ）、メッセージを送信する（ステップＳ３５）。
【００３９】
［第３実施形態］
第３実施形態に係る通信システムの構成は、第１、２実施形態の構成と同じであるが、情報処理装置４０が記憶しているデータの内容が異なるほか、情報処理装置４０によるつながり度算出処理以外の動作が異なる。記憶部４３は、プロフィールデータベース４３３及び処理テーブル４３４を記憶している。
【００４０】
図１２は、プロフィールデータベース４３３の一例を示す図であり、ここではユーザＡのプロフィール情報の一例を示している。がというユーザに注目して、そのユーザＡと知人関係にある他のユーザとのつながり度を例示していプロフィール情報には、氏名や住所などが含まれており、それぞれの内容ごとにプロフィール重要度が決められている。このプロフィール重要度が大きいほど、他のユーザに対して知らせるべき度合いが大きいということになる。
【００４１】
図１３は、処理テーブル４３４の一例を示す図である。処理テーブル４３４においては、つながり度とプロフィール重要度とが対応付けられている。これらの対応関係によって、プロフィールの変更内容の送信先となるユーザが決まる。例えは、つながり度が「１」のユーザに対しては、プロフィール重要度が「１」以下のプロフィール情報を送信するようになっている。つまり、つながり度が高いほどプロフィール重要度が大きくなっているから、つながり度が高いほど、多くのプロフィール情報（重要度が小さいプロフィール情報から重要度が大きいプロフィール情報までの全て）が送信されることになる。
【００４２】
図１４は、情報処理装置４０の機能構成を示すブロック図である。情報処理装置４０において、制御部４１がプログラムを実行して通信部４２及び記憶部４３と協働することにより、取得手段４０ｉと、判定手段４０ｊと、つながり度特定手段４０ｋと、送信手段４０ｍという機能を実現する。取得手段４０ｉは、ユーザのプロフィールに関する変更内容を取得する。判定手段４０ｊは、取得手段４０ｉによって取得されたプロフィールの変更内容の重要度を判定する。つながり度特定手段４０ｋは、判定手段４０ｊにより判定された重要度に対応するつながり度を特定する。送信手段４０ｍは、取得手段４０ｉにより取得されたプロフィールの変更内容を、つながり度特定手段４０ｋによって特定されたつながり度以上となる他のユーザの通信端末に宛てて送信する。
【００４３】
図１５は、第３実施形態に係る情報処理装置４０のプロフィール送信処理の動作を示すフローチャートである。移動通信端末１０において、ユーザの操作に従って、プロフィール情報の変更内容が生成され、移動通信端末１０から情報処理装置４０に送信される。情報処理装置４０の制御部４１は、通信部４２を介してこの変更内容を取得する（ステップＳ４１）。
【００４４】
次に、制御部４１は、プロフィールデータベースを参照して、プロフィールの重要度を判定する（ステップＳ４２）。次に、制御部４１は、判定した重要度に対応するつながり度を特定する（ステップＳ４３）。次に制御部４１は、つながり度データベース４３１を参照して、ユーザとのつながり度が、判定されたつながり度以上となる他のユーザを特定し、その特定したユーザの移動通信端末１０をプロフィール変更内容の宛先にセットする（ステップＳ４４）。そして、制御部４１は、この宛先となる移動通信端末１０に対し、プロフィールの変更内容を送信する（ステップＳ４５）。なお、第３実施形態においても、第１実施形態と同じように、ステップＳ４４において特定した他のユーザをメッセージの宛先の候補として、メッセージを生成したユーザに対して提示し、その中から本当の宛先となる他のユーザを、メッセージを生成したユーザに選択させるようにしてもよい。
【００４５】
［変形例］
なお、つながり度を特定する方法は、実施形態の例に限らない。例えば制御部４１は、コミュニケーションの頻度だけでなく、そのコミュニケーションの具体的な内容、例えば各ユーザのコメントの意味や表現なども考慮してつながり度を特定してもよい。また、つながり度自体は、情報処理装置４０が算出する必要はなく、ＳＮＳ装置などの他の装置が算出し、情報処理装置４０がそれを取得するだけであってもよい。また、情報処理装置４０の機能を、情報処理装置としての移動通信端末１０が備えてもよい。
また、本発明は、情報処理装置４０が行う情報処理方法や、コンピュータを情報処理装置４０として機能させるためのプログラムといった形態でも実施が可能である。かかるプログラムは、光ディスク等の記録媒体に記録した形態で提供されたり、インターネット等のネットワークを介して、コンピュータにダウンロードさせ、これをインストールして利用可能にするなどの形態で提供されたりすることが可能である。
【符号の説明】
【００４６】
１０・・・移動通信端末、１１・・・制御部、１２・・・通信部、１３・・・操作部、１４・・・表示部、１５・・・音声入出力部、１６・・・記憶部、２０・・・ネットワーク、３０・・・ＳＮＳ提供装置、４０・・・情報処理装置、４１・・・制御部、４２・・・通信部、４３・・・記憶部。
【図１】
2014160339.tif 000003
【図２】
2014160339.tif 000004
【図３】
2014160339.tif 000005
【図４】
2014160339.tif 000006
【図５】
2014160339.tif 000007
【図６】
2014160339.tif 000008
【図７】
2014160339.tif 000009
【図８】
2014160339.tif 000010
【図９】
2014160339.tif 000011
【図１０】
2014160339.tif 000012
【図１１】
2014160339.tif 000013
【図１２】
2014160339.tif 000014
【図１３】
2014160339.tif 000015
【図１４】
2014160339.tif 000016
【図１５】
2014160339.tif 000017